(57)【特許請求の範囲】
【請求項１】
外枠に対して開閉可能に設けられ、かつ開口部に遊技盤および各種構成機構を装着配置した内枠と、該内枠開口部の前面側に開閉可能にガラス枠と該ガラス枠の下部側に設けられ且つ前面側に上皿が取り付けられる前枠とを備えたパチンコ機において、
前記内枠の下部枠の裏面に、こぼれ球回収路を形成し、
前記前枠の背面側には、当該前枠を前記内枠に対して閉じた状態で当該内枠の下部枠の上縁部のほぼ全長に亘り所定の間隔を有して臨み、かつ前記こぼれ球回収路側に向って傾斜する傾斜面を有する球乗り防止部材を設け、
前記ガラス枠を開いたときに下方にこぼれた球を前記球乗り防止部材の傾斜面によって前記こぼれ球回収路に落下させる一方、前記ガラス枠及び前記前枠を開いた状態でこぼれた球が前記内枠の下部枠の上縁部に球乗りした場合に、前記前枠を閉じることにより前記球乗り防止部材で押されて球乗りした球を前記こぼれ球回収路に落下させる構成としたことを特徴とするパチンコ機における内枠開口部の球乗り防止構造。
【請求項２】
前記球乗り防止部材が、前記前枠のほぼ中央部に取付けられるスピーカーボックスに形成されて、前記内枠の下部枠の上縁部に沿って所定の角度で前記こぼれ球回収路側に向って傾斜する傾斜面を有する第１の球乗り防止部材と、前記スピーカーボックスの左右に前記第１の球乗り防止部材の左右に連続するように前記内枠の下部枠の上縁部に臨む基片上に所定の間隔で前記こぼれ球回収路側に向って傾斜する傾斜面を有する複数のリブを形成した第２の球乗り防止部材と、より構成したことを特徴とする請求項１に記載のパチンコ機における内枠開口部の球乗り防止構造。
【発明の詳細な説明】
【０００１】
【発明の属する技術分野】
この発明は、パチンコ機の内枠に係り、詳しくは内枠開口部の球乗り防止構造に関するものである。
【０００２】
【従来の技術】
一般的に、パチンコ機の枠体構造は図５に示すように略方形状に枠組み形成された外枠１と、この外枠１の一側の上下に対をなすヒンジ部材２を介して内枠３が開閉可能に取付けられ、この内枠３の開口部４には遊技盤５および各種構成機構を装着配設され、同内枠３の下部枠６の前面側には下皿７が取付けられている。また、この内枠３の前面側には遊技盤５の前面を覆うガラス枠８が内枠３の一側に上下に対をなすヒンジ部材９を介して開閉可能に取付けられ、また、このガラス枠８の下部側には内枠開口部４側に装着された発射レール１０等の前面側を遮蔽する前枠１１が内枠３の一側にヒンジ部材を介して開閉可能に取付けられている。
【０００３】
この前枠１１の前面側には上皿１２が取付けられるとともに、この前枠１１の背面側の所定の位置には内枠開口部４側に設けられた賞球通路１３と接離可能に連通される継承通路部材１４が取付けられて上皿１２へ賞球を導通するように設けられている。また、この前枠１１の背面側のほぼ中央部にはスピーカーボックス１５が嵌込み状に取付けられ、また、このスピーカーボックス１５に近接した所定の位置には上皿１２に連通する球抜き孔１６が設けられて、同球抜き孔１６からの球は発射レール１０等を取付けた取付基板１７と下部枠６との間に形成される通路１８より下皿７へ導通するようになっている。
【０００４】
【発明が解決しようとする課題】
しかしながら、このように設けられたパチンコ機において、例えば遊技中に遊技盤５面の釘間等に球がつまった場合、ホールの係員がガラス枠８を開けてつまった球を取り除く際に、同球が下方にこぼれる場合があり、また、発射レール１０上の球つまり等により前枠１１を開けたとき、賞球通路１３に残った球が下方にこぼれる場合がある。このこぼれた球は基板１７と前枠１１との間隔および基板１７と下部枠６との間の通路１８を経て下皿７側に回収されるものであるが、内枠３の板厚が比較的厚く形成されていることから、これらの球が下部枠６の上縁部６ａに乗った状態で止まり下皿７に回収されない問題がある。本発明は、上記従来の問題点を解決するためになされたもので、ガラス枠および前枠の開操作に伴うこぼれ球が内枠開口部での下部枠の上縁部に球乗りすることを防止して回収することのできる内枠開口部の球乗り防止構造を提供することを目的とする。
【０００５】
【課題を解決するための手段】
本発明は、上記技術課題を解決するため、第１の発明は、外枠に対して開閉可能に設けられ、かつ開口部に遊技盤および各種構成機構を装着配置した内枠と、該内枠開口部の前面側に開閉可能にガラス枠と該ガラス枠の下部側に設けられ且つ前面側に上皿が取り付けられる前枠とを備えたパチンコ機において、前記内枠の下部枠の裏面に、こぼれ球回収路を形成し、前記前枠の背面側には、当該前枠を前記内枠に対して閉じた状態で当該内枠の下部枠の上縁部のほぼ全長に亘り所定の間隔を有して臨み、かつ前記こぼれ球回収路側に向って傾斜する傾斜面を有する球乗り防止部材を設け、前記ガラス枠を開いたときに下方にこぼれた球を前記球乗り防止部材の傾斜面によって前記こぼれ球回収路に落下させる一方、前記ガラス枠及び前記前枠を開いた状態でこぼれた球が前記内枠の下部枠の上縁部に球乗りした場合に、前記前枠を閉じることにより前記球乗り防止部材で押されて球乗りした球を前記こぼれ球回収路に落下させる構成としたことであり、また、第２の発明は、前記球乗り防止部材が、前記前枠のほぼ中央部に取付けられるスピーカーボックスに形成されて、前記内枠の下部枠の上縁部に沿って所定の角度で前記こぼれ球回収路側に向って傾斜する傾斜面を有する第１の球乗り防止部材と、前記スピーカーボックスの左右に前記第１の球乗り防止部材の左右に連続するように前記内枠の下部枠の上縁部に臨む基片上に所定の間隔で前記こぼれ球回収路側に向って傾斜する傾斜面を有する複数のリブを形成した第２の球乗り防止部材と、より構成したパチンコ機における内枠開口部の球乗り防止構造である。
【０００６】
【発明の効果】
本発明は、上記の構成としたことにより、ガラス枠および前枠の開操作に伴うこぼれ球が下部枠の上縁部に球乗りあるいは球乗りしようとしても、この第１の球乗り防止部材および第２の球乗り防止部材により下皿側に回収することができる。
【０００７】
【実施の形態】
次に、本発明の実施の形態を図面にしたがって説明すると、図１は内枠３の下部側の縦断面図、図２は前枠３０の背面図を示すもので、内枠３の開口部４の上部側には遊技盤５が取付けられ、この遊技盤５の下部側には所定の位置に上部賞球通路２２と下部賞球通路２３とを有する賞球通路部材２１が内枠３の下部枠６と所定の間隔を有して設けられ、この賞球通路部材２１と下部枠６との間にこぼれ球の回収路２４が形成されている。また、この下部枠６の前面側には通路部材２５を介して下皿２６が取付けられ、この下皿２６は通路部材２５を介して下部賞球通路２３およびこぼれ球回収路２４と連通されている。
【０００８】
また、遊技盤５の前面に開閉可能に取付けられたガラス枠８の背面側の四周には補強板を兼ねるガラスレール２７を介して２枚のガラス２８が所定の間隔で取付けられ、このガラス枠８の下部側には前枠３０が開閉可能に取付けられている。なお、この前枠３０はガラス枠８の下縁に形成された係合縁８ａと係合する係合凹部３０ａが上縁３１ｂ側に形成されて、ガラス枠８を開けないと、同前枠３０は開かないようになっている。
【０００９】
この前枠３０はガラス枠８と下部枠６との間を遮蔽可能とする図２に示す略変形長方形状に形成されて四周には縁部３１が形成されており、その図示右縦縁３１ａ側の上下には内枠３に取付けるヒンジ孔３１ｄがそれぞれ形成されている。また、上縁３１ｂの所定の範囲にはガラス枠８の係合縁８ａと係合する係合凹部３０ａが形成されている。また、前枠３０の右縦縁３１ａ寄りの所定の位置には図１に示すように賞球通路部材２１の上部賞球通路２２に対し若干下位に位置して開口する球出口３２が開設され、この球出口３２の背面側回りには上部賞球通路２２に指向して賞球を継承する賞球ガイド部材３３が取付けられている。また、下縁３１ｃ側のほぼ中央部には下皿２７の逃し凹部３３が形成され、この逃し凹部３３の上部にはスピーカーボックス３５の取付孔３４が貫設されている。
【００１０】
このスピーカーボックス３５にはスピーカー３６が内装されて図３に示すように取付孔３４より前枠３０の前面側に取付けられた上皿３７の空間部３７ａ内に臨むように取付けられるもので、図示のように前面に開口する断面略変形５角形状に形成され、同スピーカーボックス３５の傾斜状下縁３５ａの所定の位置には同スピーカーボックス３５の左右に形成した取付片３８に亘り所定の長さでほぼ直角状に延出して、同前枠３０を閉止したときにその先端は図３に示すように内枠３の下部枠６の上縁部６ａに対し所定の間隔ｔを有してその内側角部に指向する第１の球乗り防止部材３９が一体に形成されている。
【００１１】
また、この前枠３０に取付けたスピーカーボックス３５の左右の背面側にはスピーカーボックス３５に形成した第１の球乗り防止部材３９とほぼ同位に第２の球乗り防止部材４０が一体に形成されている。この第２の球乗り防止部材４０は前枠３０に貫設された取付孔４４を避けた状態で一列状に形成されるもので、この第２の球乗り防止部材４０は前枠３０の背面側で所定の幅でかつ所定の張出し長さの基片４１が賞球通路部材２１に向けて水平状に延出されるとともに、この基片４１の上面側には所定の間隔（球が嵌まり込まない程度の間隔）でこぼれ球回収路２４へ傾斜する傾斜面４３を有する複数のリブ４２が一体に形成されている。このように形成された各第２の球乗り防止部材４０は前枠３０を閉止したときに図１に示すように第１の球乗り防止部材３９と同様に基片４１の下面は内枠３の下部枠６の上縁部６ａに対し所定の間隔ｔを有して臨まれている。また、スピーカーボックス３５に近接した位置には上皿３７の球Ｗを抜くための球抜き孔４５が設けられ、上皿３７に設けた球抜きレバー（図示せず）を操作することで球Ｗは第２の球乗り防止部材４０に案内されてこぼれ球回収路２４より下皿２６へ排出される。なお、４６は前枠３０の背面側に取付けられて発射レール１０に球を供給する球供給機構、４７は球供給機構４６に取付けられて発射レール１０に添設されるガイド部材である。
【００１２】
このように形成された前枠３０はその縦縁３１ａ側に形成されたヒンジ孔３１ｄが内枠３の取付けられたヒンジピン（図示せず）に回動可能に嵌合され、同ヒンジピンを介して回動して賞球通路部材２１および発射レール１０等の前面側を閉止した状態で、図１に示すように通路部材２５は賞球通路部材２１の上部賞球通路２２と継承され、また、第１の球乗り防止部材３９および第２の球乗り防止部材４０は図１および図３に示すように内枠３の下部枠６の上縁部６ａのほぼ全長に亘り所定の間隔ｔを有して臨まれている。そして、ガラス枠８を閉止してロックすることで内枠３の開口部４の前面は遮蔽されている。
【００１３】
このように内枠３の開口部４の前面をガラス枠８および前枠３０により閉止した状態において、例えば遊技中に遊技盤５の釘間等に球Ｗがつまった場合、ホールの係員がガラス枠８を開け、つまった球Ｗを取り除く時に、球Ｗが下方にこぼれて賞球通路部材２１と前枠３０との間から内枠３の下部枠６の上縁部６ａに乗る状態で落ちたとしても、この下部枠６の上縁部６ａには第１の球乗り防止部材３９および第２の球乗り防止部材４０が臨まれていることから、例えば第１の球乗り防止部材３９ではその傾斜角で跳ね返されてこぼれ球回収路２４へ落下され、また、第２の球乗り防止部材４０ではそのリブ４２間に落下したとしても、このリブ４２間は球Ｗが嵌まり込まない間隔で形成したので、球Ｗはリブ４２の傾斜面４３に沿ってこぼれ球回収路２４へ落下されて下皿２６に回収することができる。
【００１４】
また、例えば遊技中に発射レール１０上に球づまり等して、ガラス枠８を開け、さらに、図４に示すように前枠３０を開けたときに、上部賞球通路２２に残った球Ｗが下方にこぼれて下部枠６の上縁部６ａに球乗りしたとしても、前枠３０を閉じることで上縁部６ａに球乗りした球Ｗは第１の球乗り防止部材３９および第２の球乗り防止部材４０により押されてこぼれ球回収路２４へ落下されて下皿２６に回収することができる。このようにガラス枠８および前枠３０の開操作に伴うこぼれ球Ｗが下部枠６の上縁部６ａに球乗りあるいは球乗りしようとしても、この第１の球乗り防止部材３９および第２の球乗り防止部材４０により下皿２６側に回収することができる。
【図面の簡単な説明】
【図１】  内枠の下部側の断面図である。
【図２】  前枠の背面図である。
【図３】  図２のＡ−Ａ線断面図である。
【図４】  前枠に設けた球乗り防止部材の作用説明図である。
【図５】  内枠、ガラス枠および前枠を開いた状態の斜視図である。
【符号の説明】
１  外枠
３  内枠
４  内枠開口部
５  遊技盤
６  下部枠
６ａ  上縁部
８  ガラス枠
３０  前枠
３５  スピーカーボックス
３９  第１の球乗り防止部材
４０  第２の球乗り防止部材
４１  基片
４２  リブ
４３  傾斜面
【図１】
0004370440.tif 000002
【図２】
0004370440.tif 000003
【図３】
0004370440.tif 000004
【図４】
0004370440.tif 000005
【図５】
0004370440.tif 000006